(57)【特許請求の範囲】
【請求項１】
略円弧状を呈して対となって対向配置される磁気コアに各別に巻線を施して形成される一対のセンサ部と、これら各センサ部における前記巻線の捲着部位に覆設される絶縁材とを少なくとも具備させてなるクランプ式電流計のコアセンサにおいて、
前記絶縁材は、対面合致が自在に二つ割りされた一側カバー部と他側カバー部とでセンサ部の湾曲形状に沿わせて覆設される絶縁カバーにより形成するとともに、該絶縁カバーを構成する一側カバー部と他側カバー部とのそれぞれには、長さ方向での一端側に位置する外周側縁と他端側に位置する外周側縁とにその配設位置を異にする切欠部を各別に設けたことを特徴とするクランプ式電流計のコアセンサ構造。
【請求項２】
前記一側カバー部と他側カバー部とのそれぞれは、その覆設時にセンサ部の側が備える突起との係合を自在とした位置決め用の溝部を有することを特徴とする請求項１に記載のクランプ式電流計のコアセンサ構造。
【請求項３】
前記一側カバー部と他側カバー部とのそれぞれは、同一成形品により形成したことを特徴とする請求項１または２に記載のクランプ式電流計のコアセンサ構造。
【請求項４】
センサ部を収納させた前記絶縁カバーは、一側カバー部と他側カバー部との外周側当接部を含む外周面と、内周側当接部を含む内周面とのそれぞれに絶縁テープを各別に貼着して一体化させたことを特徴とする請求項１ないし３のいずれかに記載のクランプ式電流計のコアセンサ構造。
【発明の詳細な説明】
【０００１】
【発明の属する技術分野】
本発明は、外部磁界からの影響を少なくしてシールドケース内に安定的に収納することができるほか、巻線の始端部と終端部とを彼此の区別を容易にして引き出すこともできるクランプ式電流計のコアセンサ構造に関する。
【０００２】
【従来の技術】
図３は、従来からあるクランプ式電流計における一対のコアセンサにつき一方の側を例として示したものであり、磁性鋼板を積層させて略円弧状を呈して配置される磁気コア３との間にボビン４を介在させ、該ボビン４にその始端部５ａと終端部５ｂとが引き出されるようにして巻線５を施すことによりセンサ部２が形成されており、該センサ部２における巻線５の捲着部位に絶縁材である絶縁テープ６を相互の境界部７が二重巻きとなるように捲着することにより、図示しないシールドケース内への絶縁した状態での収納を自在にしてコアセンサ１が形成されている。
【０００３】
【発明が解決しようとする課題】
しかし、上記従来例によれば、絶縁テープ６によりセンサ部２とシールドケースとの間が絶縁されたコアセンサ１を形成することはできるものの、絶縁テープ６を巻線５に捲着しなければならないという作業上の煩雑さがあった。
【０００４】
しかも、巻線５に捲着される絶縁テープ６は、隣り合う境界部７が二重巻き構造となっていることから、その外表面に段部ができてしまい、シールドケース内に収納させた際の納まりが悪くなってガタツキが生じてしまうなどの不都合があった。
【０００５】
さらに、コアセンサ１から引き出されている巻線５の始端部５ａと終端部５ｂとは、その引出し長さを相互に変えたり、引き出し部分を相互に色分けしたりすることにより彼此の区別がつくようにしなければならない煩雑さもあった。
【０００６】
本発明は従来技術にみられた上記課題に鑑み、外部磁界からの影響を少なくしてシールドケース内に安定的に収納することができるほか、巻線の始端部と終端部とを彼此の区別を容易にして引き出し処理することもできるようにしたクランプ式電流計のコアセンサ構造を提供することにその目的がある。
【０００７】
【課題を解決するための手段】
本発明は上記目的を達成すべくなされたものであり、その構成上の特徴は、略円弧状を呈して対となって対向配置される磁気コアに各別に巻線を施して形成される一対のセンサ部と、これら各センサ部における前記巻線の捲着部位に覆設される絶縁材とを少なくとも具備させてなるクランプ式漏洩電流計のコアセンサにあって、前記絶縁材は、対面合致が自在に二つ割りされた一側カバー部と他側カバー部とでセンサ部の形状に沿わせて覆設される絶縁カバーにより形成するとともに、該絶縁カバーを構成する一側カバー部と他側カバー部とのそれぞれには、長さ方向での一端側に位置する外周側縁と他端側に位置する外周側縁とにその配設位置を異にする切欠部を各別に設けたことにある。
【０００８】
この場合、前記一側カバー部と他側カバー部とのそれぞれは、その覆設時にセンサ部の側が備える突起との係合を自在とした位置決め用の溝部を設けておくのが好ましく、さらに、これら一側カバー部と他側カバー部とのそれぞれは、同一成形品により形成するのが望ましい。さらにまた、センサ部を収納させた前記絶縁カバーは、一側カバー部と他側カバー部との外周側当接部を含む外周面と、内周側当接部を含む内周面とのそれぞれに絶縁テープを各別に貼着して一体化させておくのが望ましい。
【０００９】
【発明の実施の形態】
図１は、本発明の一例を図３におけると同様にその左半分について部分的に示す分解斜視図であり、磁性鋼板を積層させることにより略円弧状を呈して対となって対向配置される磁気コア１３にボビン１４を介在させて各別に巻線１７を施すことにより対となって形成されるセンサ部１２と、該センサ部１２における巻線１７の捲着部位に覆設される絶縁材２１とを少なくとも具備させてクランプ式漏洩電流計のコアセンサ１１が構成されている。なお、巻線１７は、巻き始め側に位置する始端部１７ａと巻き終り側に位置する終端部１７ｂとがセンサ部１２の基端側からあらかじめ引き出されている。
【００１０】
また、磁気コア１３は、基端噛合部１３ａと先端噛合部１３ｂとを備えており、これら基端噛合部１３ａと先端噛合部１３ｂとは、図示しない他方の磁気コアが備える先端噛合部と基端噛合部との間で相互に櫛歯状となって噛合できるようになっている。
【００１１】
ボビン１４は、磁気コア１３における先端噛合部１３ａと基端噛合部１３ｂとを除く部位に覆設されるものであり、その始端と終端とのそれぞれにフランジ部１５が隆設されている。しかも、これらのフランジ部１５のそれぞれの両側面には、外方へと突出させた突起１６が設けられている。
【００１２】
一方、絶縁材２１は、対面合致が自在に二つ割りされたポリプロピレン等の合成樹脂材からなる一側カバー部２３と他側カバー部２７とで、センサ部１２の湾曲形状に沿わせての覆設を自在とした絶縁カバー２２により形成されている。
【００１３】
すなわち、絶縁材２１としての絶縁カバー２２は、センサ部１２におけるボビン１４がその始端と終端とに有するフランジ部１５を含む巻線１７の捲着部位をその左右両側方向から等分位置にて対面合致させることができるように二分割された一側カバー部２３と他側カバー部２７とで形成されている。
【００１４】
この場合、一側カバー部２３と他側カバー部２７とのそれぞれは、その覆設時にボビン部１４のフランジ部１５に設けられている突起１６との対面部位に、対応する突起１６と係合する位置決め用の溝部２４，２８が各別に設けられている。
【００１５】
さらに、一側カバー部２３には、その外周側縁２３ａにおける一端側の近傍位置と他端側の近傍位置とに切欠部２５，２６がそれぞれの開放端からの配設位置を異ならせて、また、他側カバー部２７には、同じくその外周側縁２７ａにおける一端側の近傍位置と他端側の近傍位置とに切欠部２９，３０がそれぞれの開放端からの配設位置を異ならせて各別に設けられている。
【００１６】
具体的には、一側カバー部２３の一方の切欠部２５と他側カバー部２７の一方の切欠部２９とは一方の開放端の近傍に位置する同一部位に、一側カバー部２３の他方の切欠部２６と他側カバー部２７の他方の切欠部３０とは他方の開放端からの距離が一方の切欠部２５，２９よりもやや長くなる配設関係のもとで、それぞれを寸法精度の高い同一成形品として形成するなど、相互に同一の形状を呈して形成されている。
【００１７】
このため、一側カバー部２３に対し他側カバー部２７を対面合致させた際、つまり一側カバー部２３と他側カバー部２７とをその上下を逆にして組み合わせた際には、外周側当接部２３ａを介してその基端側に形成される一側導出口３１と他側導出口３２とが、図２（イ）に示されているように相互に互い違いとなった位置関係のもとでその外周面３１に形成されることになる。したがって、巻線１７は、その始端部１７ａが一側導出口３１から、終端部１７ｂが他側導出口３４からそれぞれ引き出されることになる。
【００１８】
さらに、センサ部１２を収納して組み立てられた後の絶縁カバー２２は、一側カバー部２３と他側カバー部２７との外周側当接部２２ａを含む外周面３１と、内周側当接部２２ｂを含む内周面３２とに絶縁テープ３５が図２（イ），（ロ）に示すように各別に貼着されて一体化されている。
【００１９】
本発明はこのようにして構成されているので、センサ部１２における巻線１７の捲着部位に対し一側カバー部２３と他側カバー部２７とを一側カバー部２３の溝部２４と他側カバー部２７の溝部２８とのそれぞれを対応するボビン１４の突起１６に係合させて位置規制した状態のもとで対面合致させることにより、センサ部１２に絶縁カバー２２を覆設したコアセンサ１１を得ることができる。
【００２０】
しかも、この場合、一側カバー部２３には、その外周側縁２３ａにそれぞれの開放端からの配設位置を異ならせた切欠部２５，２６が、他側カバー部２７には、同じくその外周側縁２７ａにそれぞれの開放端からの配設位置を異ならせた切欠部２９，３０が各別に設けられているので、一側カバー部２３に対し他側カバー部２７を対面合致させた際、図２（イ）に示すようにその外周面３１に一側導出口３１と他側導出口３２とが相互に互い違いとなった位置関係のもとで形成することができる。
【００２１】
したがって、一側導出口３１からは、巻線１７の始端部１７ａの側を、他側導出口３４からは、巻線１７の終端部１７ｂの側をそれぞれ導出することにより、巻線１７の巻き始め側と巻き終り側とを誤認することなく峻別して各別に引き出すことができる。
【００２２】
また、センサ部１２を収納して組み立てられた後の絶縁カバー２２は、一側カバー部２３と他側カバー部２７との外周側当接部２２ａを含む外周面３１と、内周側当接部２２ｂを含む内周面３２とのそれぞれに絶縁テープ３５が図２（イ），（ロ）に示すように各別に貼着されているので、図示しないシールドケース内にコアセンサ１１を収納させた際に、巻線１７とシールドケースとの間を確実に絶縁させることができる。
【００２３】
さらに、絶縁材２１としての絶縁ケース２２は、図３に示すような絶縁テープ６とは異なり、寸法精度の高い同一成形品として得られる一側カバー部２２と他側カバー部２７とで形成されているので、ガタツキをなくしてシールドケース内に安定的に収納させることができる。
【００２４】
【発明の効果】
以上述べたように本発明によれば、対面合致を自在に二つ割りされた一側カバー部と他側カバー部とからなる絶縁カバーにより絶縁材が形成されているので、センサ部に絶縁カバーを覆設したコアセンサは、ガタツキをなくしてシールドケース内に安定的に収納することができる。また、一側カバー部と他側カバー部とを寸法精度の高い同一成形品により形成してある場合には、シールドケース内にコアセンサをより安定的に収納することができる。さらに、一側カバー部と他側カバー部とのそれぞれが、その覆設時にセンサ部の側が備える突起との係合を自在とした位置決め用の溝部を有している場合には、正しく位置決めしてセンサ部と絶縁カバーとを一体化することができる。
【００２５】
しかも、一側カバー部と他側カバー部とのそれぞれには、長さ方向での一端側に位置する外周側縁と他端側に位置する外周側縁とにその配設位置を異にする切欠部を各別に設けてあるので、これらを対面合致させて絶縁カバーを形成した際に、その外周面に一側導出口と他側導出口とを相互に互い違いとなった位置関係のもとで形成することができる。このため、一側導出口からは巻線の始端部を、他側導出口からは巻線の終端部をそれぞれ導出することにより、巻線の巻き始め側と巻き終り側とを誤認することなく峻別して各別に引き出すことができる。
【００２６】
さらに、センサ部に覆設された絶縁カバーの外周面と内周面とのそれぞれに絶縁テープが各別に貼着されて場合には、シールドケース内にコアセンサを収納した際、巻線とシールドケースとの間の絶縁をより確実なものとすることができる。
【図面の簡単な説明】
【図１】  本発明の一例をその左半分につき部分的に示す分解斜視図。
【図２】  本発明を外周面側からみた場合を（イ）として、内周面側からみた場合を（ロ）としてそれぞれ示す。
【図３】  従来からあるクランプ式電流計における左側のコアセンサの一例を示す概略正面図。
【符号の説明】
１１  コアセンサ
１２  センサ部
１３  磁気コア
１３ａ  先端噛合部
１３ｂ  基端噛合部
１４  ボビン
１５  フランジ部
１６  突起
１７  巻線
１７ａ  始端部
１７ｂ  終端部
２１  絶縁材
２２  絶縁カバー
２２ａ  外周側当接部
２２ｂ  内周側当接部
２３  一側カバー部
２３ａ  外周側縁
２４  溝部
２５，２６  切欠部
２７  他側カバー部
２８  溝部
２９，３０  切欠部
３１  外周面
３２  内周面
３３  一側導出口
３４  他側導出口
３５  絶縁テープ
【図１】
0003698347.tif 000002
【図２】
0003698347.tif 000003
【図３】
0003698347.tif 000004